(57)【要約】【課題】より簡単な構成で水位検出及び汚れ検出が出来る食器洗い乾燥機を提供する。【解決手段】水位検出及び汚れ検出手段として、発光部１１及び受光部１２を有する透過度センサ１０を、貯留部１３内に設けることにより水位検出及び汚れ検出を行う。前記検出の結果は記憶手段に記憶され、制御手段は前記記憶手段に記憶された前記検出の結果を読み込んで比較又は演算を行い、その結果に基づき給水開始及び終了並びに排水開始の制御を行う。【選択図】図１
2007244770.tif 000002
【特許請求の範囲】
【請求項１】
洗浄槽内へ給水された水を収容する貯留部と、該貯留部に収容された水の水位を検出する検出手段とを備える食器洗い機において、
前記貯留部内に透過度センサを備えることを特徴とする食器洗い機。  
【請求項２】
前記透過度センサは、
発光部及び受光部を、洗浄が可能な最低限水位より低い位置に対設してあることを特徴とする請求項１記載の食器洗い機。
【請求項３】
前記透過度センサは、
前記洗浄槽内への給水前及び給水中並びに、前記洗浄槽外への排水前及び排水中に水位検出を行うようにしてあることを特徴とする請求項１又は請求項２記載の食器洗い機。
【請求項４】
前記洗浄槽内への給水開始から所定位置に達するまでの時間を測定する計時手段を備えることを特徴とする請求項１乃至３のいずれか一つに記載の食器洗い機。
【請求項５】
前記透過度センサによる検出結果及び前記計時手段による計時結果を記憶する記憶手段を備えることを特徴とする請求項１乃至４のいずれか一つに記載の食器洗い機。
【請求項６】
前記記憶手段に記憶された検出結果に基づいて、給水すべき水量の演算を行い、
前記演算の結果又は前記検出結果に基づいて、給水の開始、給水の終了及び排水の開始の制御を行う制御手段を備えることを特徴とする請求項１乃至５のいずれか一つに記載の食器洗い機。
【請求項７】
前記発光部及び受光部は、
発光素子及び受光素子並びに、
前記発光素子が発する光が透過する発光部及び受光部の透過窓を夫々備え、
前記発光部及び／または前記受光部の透過窓の水と接する側の面をマット加工してあることを特徴とする請求項２乃至６のいずれか一つに記載の食器洗い機。
【請求項８】
前記透過度センサは、
洗浄を行う際に連続的又は断続的に汚れの検出を行うようにしてあることを特徴とする請求項１乃至７のいずれか一つに記載の食器洗い機。
【発明の詳細な説明】
【技術分野】
【０００１】
本発明は、洗浄水の水位及び汚れ具合を検出する食器洗い機に関する。
【背景技術】
【０００２】
従来の食器洗い機は、洗浄槽内に、食器類を収容する食器籠と、前記洗浄槽内へ給水される水を貯留する貯留部と、前記食器籠に載置された食器類に向けて水を噴射する洗浄ノズルとを備えており、給水及び排水の制御を行うために、前記貯留部に収容された洗浄水の水位を検出する水位検出手段を備えている。
【０００３】
市販されている多くのものは、水位検出手段として、フロートを用いており、洗浄槽に連通されたフロート室内にフロートが配置され、洗浄槽内の水位の増減に従って上下する前記フロートに連結されたスイッチの接触を用いて水位を検出する（例えば、特許文献１参照）。
【０００４】
しかしながら、前記フロートを用いる食器洗い機の場合は、フロート室、スイッチ等を設ける必要があり、貯留部外に配置スペースを確保する必要があるという問題がある。また、フロートに水滴又は残滓等が付着することによって、又は、フロート室内壁に水垢が付着することによって、フロートが上下に動かなくなる場合があるという問題が生じていた。
【特許文献１】特開２０００−１０７１１５号公報
【発明の開示】
【発明が解決しようとする課題】
【０００５】
本発明は、斯かる事情に鑑みてなされたものであり、水位検出手段として透過度センサを設けることにより、簡単な構成で水位検出が出来る食器洗い機を提供することを目的とする。
【０００６】
また、本発明の他の目的は、前記透過度センサの発光部及び受光部を特定の位置に設けることにより、前記洗浄槽内への給水の終了が検出でき、前記洗浄槽外への排水が確実に実行されているかを確認できる食器洗い機を提供することにある。
【０００７】
また、本発明の他の目的は、洗浄槽内への給水前及び給水中並びに、洗浄槽外への排水前及び排水中に水位検出を行うことにより、前記検出の結果に基づき給水の開始、給水の終了及び排水の開始の制御を行うことが出来る食器洗い機を提供することにある。
【０００８】
また、本発明の他の目的は、洗浄槽内への給水開始から所定位置に達するまでの時間を測定する計時手段を備え、給水開始後からの計時を行うことにより、給水終了を制御できる食器洗い機を提供することにある。
【０００９】
また、本発明の他の目的は、前記透過度センサの検出結果及び前記計時手段の検出結果を記憶する記憶手段を備えることにより、制御手段が、前記記憶手段に記憶した検出結果又は計時結果を読み出して比較を行って給水の開始、給水の終了及び排水の開始の制御が出来る食器洗い機を提供することにある。
【００１０】
また、本発明の他の目的は、記憶手段に記憶された検出結果に基づき演算と、前記検出結果又は演算の結果に基づいて給水の開始、給水の終了及び排水の開始の制御を行う制御手段を備えることにより、例えば、洗浄対象の量が多い場合、洗浄対象の量に対応して給水すべき水の量を演算し、該演算の結果及び記憶手段に記憶された検出結果に基づいて給水の開始、給水の終了及び排水の開始の制御ができる食器洗い機を提供することにある。
【００１１】
また、本発明の他の目的は、前記発光部の発光素子が発する光が透過する発光部の透過窓及び／又は受光部の透過窓の両側のうち、水と接する側の面をマット加工してあることにより、該透過窓が水と接する際に乾燥の状態に比べ透過性が向上し、水位（有無）を確実に検出することが出来る食器洗い機を提供することにある。
【００１２】
また、本発明の他の目的は、洗浄を行う際に、前記透過度センサが、連続的又は断続的に汚れ検出を行うようにすることにより、連続的な検出によっては、確実な洗浄ができ、断続的な検出によっては、電力消費が軽減できる食器洗い機を提供することにある。
【課題を解決するための手段】
【００１３】
本発明に係る食器洗い機は、洗浄槽内へ給水された水を収容する貯留部と、該貯留部に収容された水の水位を検出する検出手段とを備える食器洗い機において、前記貯留部内に透過度センサを備えることを特徴とする。
【００１４】
本発明にあっては、前記透過度センサは、水の有無又は汚れ具合による透明度の変化により水位検出及び汚れ検出を行う。
【００１５】
本発明に係る食器洗い機は、前記透過度センサは、発光部及び受光部を、洗浄が可能な最低限水位より低い位置に対設してあることを特徴とする。
【００１６】
本発明にあっては、前記透過度センサの発光部及び受光部は、食器洗浄のできる最低限水位より低い位置に設けて水位検出を行う。給水される水の水位が前記透過度センサの位置を越えると、洗浄が開始される。又、排水開始後、一定時間水位の検出を行い、排水を確実に実行しているかの確認を行う。
【００１７】
本発明に係る食器洗い機は、前記透過度センサは、前記洗浄槽内への給水前及び給水中並びに、前記洗浄槽外への排水前及び排水中に水位検出を行うようにしてあることを特徴とする。
【００１８】
本発明にあっては、前記洗浄槽内への給水前及び給水中に水位の検出を行い、給水前及び給水中の検出結果を比較して給水の開始及び終了を制御する。又、排水前及び排水中に水位検出を行い、該検出の結果を比較して排水の開始及び排水実行の確認を行う。
【００１９】
本発明に係る食器洗い機は、前記洗浄槽内への給水開始から所定位置に達するまでの時間を測定する計時手段を備えることを特徴とする。
【００２０】
本発明にあっては、前記洗浄槽内への給水が開始してから水が所定位置に達するまでの時間を測定する計時手段を備えてある。前記計時手段は、給水開始後から計時を開始する。所定時間の経過後は、給水が停止される。
【００２１】
本発明に係る食器洗い機は、前記透過度センサによる検出結果及び前記計時手段による計時結果を記憶する記憶手段を備えることを特徴とする。
【００２２】
本発明にあっては、給水の完了を判断する際、制御手段は、前記記憶手段に記憶された透過度センサの検出結果又は計時手段の計時結果に基づき、水が所定の位置に達したのか又は給水開始から所定の時間が経過したのかを判断する。
【００２３】
本発明に係る食器洗い機は、前記記憶手段に記憶された検出結果に基づいて、給水すべき水量の演算を行い、前記演算の結果又は前記検出結果に基づいて、給水の開始、給水の終了及び排水の開始の制御を行う制御手段を備えることを特徴とする。
【００２４】
本発明にあっては、例えば、前記制御手段は、洗浄水の昇温率の検出により洗浄対象の量が多いと判断した場合、洗浄対象の量に対応して給水すべき水の量を演算し、該演算の結果又は記憶手段に記憶された検出結果に基づいて給水の開始、給水の終了及び排水の開始の制御を行う。
【００２５】
本発明に係る食器洗い機は、前記発光部及び受光部は、発光素子及び受光素子並びに、前記発光素子が発する光が透過する発光部及び受光部の透過窓を夫々備え、前記発光部及び／または前記受光部の透過窓の水と接する側の面をマット加工してあることを特徴とする。
【００２６】
本発明にあっては、前記発光部及び／または前記受光部の透過窓の水と接する側の面をマット加工してあるので、乾燥した状態では前記透過窓の透過性が低いが、給水によって水と接することにより透過性が高くなる。このような透過度変化により水位（有無）検出を確実に行う。
【００２７】
本発明に係る食器洗い機は、前記透過度センサは、洗浄を行う際に連続的又は断続的に汚れの検出を行うようにしてあることを特徴とする。
【００２８】
本発明にあっては、前記透過度センサを用いて水の汚れ具合を検出する。前記透過度センサは、食器の洗浄を行う際に連続的又は断続的に汚れの検出を行い、その結果に基づき、洗浄水の汚れ具合を判断して洗浄水の追加供給、洗浄回数の増数等を行う。連続的検出は、前記制御手段のより正確で迅速な判断及び制御を可能にする。また、断続的検出は、検出量の軽減により、前記制御手段のＣＰＵの負担及び電力消費を軽減させる。
【発明の効果】
【００２９】
本発明によれば、水位検出手段として透過度センサを貯留部内に備えるので、水位検出手段として特別の部品を追加することによる設置スペースの確保という問題なく、簡単な構成で水位検出が出来る。
【００３０】
また本発明によれば、前記透過度センサは発光部及び受光部を有しており、前記発光部及び受光部を食器洗浄が出来る最低限水位より低い位置に設けるので、前記洗浄槽内への給水の終了、又排水が確実に開始しているか否かの確認ができる。
【００３１】
また本発明によれば、前記洗浄槽内への給水前及び給水中並びに、前記洗浄槽外への排水前及び排水中に水位検出を行うので、制御手段は、前記検出の結果に基づいて、給水開始、給水終了及び排水開始の制御を行うことで、給水及び排水の制御が出来る。
【００３２】
また本発明によれば、前記洗浄槽内への給水開始から所定位置に達するまでの時間を測定する計時手段を備えるので、計時の結果に基づき、水が所定位置に達しているか否かを判断し、給水の終了を制御することが出来る。
【００３３】
また本発明によれば、透過度センサの検出結果及び計時手段の計時結果を記憶する記憶手段を備えるので、制御手段は、前記記憶手段に記憶した検出結果及び計時結果に基づき、給水の開始、給水の終了及び排水の開始を制御することが出来る。
【００３４】
また本発明によれば、制御手段が、前記記憶手段に記憶された検出結果又は計時結果に基づき、洗浄対象の量の変化に応じた給水量を演算することが出来るので、該演算の結果、前記記憶手段に記憶された検出結果又は計時結果に基づき、給水の開始、給水の終了及び排水の開始を制御し、洗浄対象の量変化に対応することが出来る。
【００３５】
また本発明によれば、前記発光部が有する発光素子からの光が透過する発光部の透過窓及び／又は受光部の透過窓の水と接する側の面をマット加工してある。従って、該透過窓が水と接する際に透過性が乾燥状態に比べ向上し、水位(有無)を確実に検出することが可能となる。
【００３６】
また本発明によれば、前記透過度センサは、洗浄を行う際に、連続的又は断続的に汚れの検出を行い、その結果に基づき、水の追加供給、洗浄時間の延長、洗浄回数の増数等を行う。連続的検出の場合は、前記制御手段は、より正確かつ迅速な判断ができ、確実な洗浄ができる。また、断続的検出の場合は、膨大な検出量による前記制御手段のＣＰＵの負担増加の防止及び電力消費を軽減できる。
【発明を実施するための最良の形態】
【００３７】
以下、本発明をその実施の形態を示す図面に基づいて詳述する。図１は本発明の実施の形態に係る食器洗い乾燥機の要部構成を示す模式的側面図、図２は模式的正面図、図３は模式的平面図である。
【００３８】
本実施の形態に係る食器洗い乾燥機は、筐体１の内部に洗浄槽２を備えており、洗浄槽２の内部には、洗浄対象の食器が載置される食器籠（図示せず）を備えている。
【００３９】
また、洗浄槽２の下側には、水(洗浄水)を噴射する回転自在な洗浄ノズル４、４を備えており、該洗浄ノズル４、４は噴射孔(図示せず)を有し、該噴射孔より洗浄水を噴射して食器を洗浄する。洗浄ノズル４、４は前記噴射孔から噴射する洗浄水の反動で水平回転する。
【００４０】
洗浄槽２の背面には給水口９が設けられ、前記給水口９の直下には正面方向に向けて緩やかな下り傾斜を有する奥底部傾斜面１５が形成されており、該奥底部傾斜面１５の上に洗浄ノズル４，４が貫設されている。
【００４１】
前記洗浄槽２の底部正面側には、筒状を有する貯留部１３が、前記奥底部傾斜面１５より低い位置に設けられており、前記貯留部１３の上部には、貯留部１３内の洗浄水を加熱するヒータ６がヒータカバー１４に覆われて、前記奥底部傾斜面１５の下端に設けられている。加熱された洗浄水の温度は温度センサ(図示せず)により検出する。
【００４２】
貯留部１３の左壁面の正面寄りには、透過度センサ１０を取り付けるための平面断面矩形状の支持凹部２２を貯留部１３の外側に向けて凹設しており、前記支持凹部２２の正面及び背面に発光部１１及び受光部１２を対向するように取り付けてある。
【００４３】
貯留部１３の正面側の右側には、洗浄水が流れ出る流出部１６を設けている。貯留部１３は、流出部１６に向けて僅かに下がるように傾斜する貯留部傾斜面１９を有し、この下り傾斜により、流出部１６に洗浄水が流れ込み易くなる。
【００４４】
流出部１６は、略中央に排水口８を有し、流出部１６の側面は排水口８に向かって下がるように傾斜している。流出部１６の上側には残滓フィルタ３を着脱可能に備えている。
【００４５】
排水口８は、吸込ホース１８及び洗浄水循環路７を介して洗浄ポンプ５の吸い込み側に連通している。洗浄ポンプ５の吐出側は、吐出ホース１７に連通する。洗浄ノズル４、４には、前記吐出ホース１７を介して洗浄ポンプ５により加圧された高圧の洗浄水が供給され、前記噴射孔から洗浄水が噴射される。
【００４６】
図４は、本発明の実施の形態に係る食器洗い乾燥機の給水口から排水口までの洗浄水の流路を説明するための略示側面図、図５は、本発明の実施の形態に係る食器洗い乾燥機の透過度センサから排水口までの洗浄水の流路を説明するための略示正面図である。図中の破線矢印は水の流れを示す。
【００４７】
給水口９から給水される洗浄水(又は洗浄ノズル４、４から噴射されて落ちる洗浄水)は奥底部傾斜面１５及び加熱ヒータカバー１４の上面を経て、貯留部１３へ流れ込んで、流出部１６に向けて僅かに傾斜する貯留部傾斜面１９を沿って流出部１６流れ込む。洗浄水の水位が上昇して、発光部１１及び受光部１２の間に介在することにより、透過度センサ１０は、洗浄水の有無、水位検出及び汚れ検出を行うことが可能となる。
【００４８】
図６は、食器洗浄中に貯留部に滞留する水の水位と、透過度センサとの位置関係を示す図である。図中の一点鎖線は水位を示す。
【００４９】
前記発光部１１及び前記受光部１２は、食器洗浄中に貯留部１３に滞留する水の水位の下に設けている。具体的には、洗浄が可能な最低限水位より少し低い位置に設けている。したがって洗浄槽２内への給水の終了を制御することができる。又、排水開始後、一定時間水位の検出を行うことが出来るので、排水の開始を確実に実行しているか否かの確認を行うことが出来る。
【００５０】
図７は、透過度センサの構成部材を示す分解横断面図、図８は透過度センサを組み立てた状態を示す横断面図である。
【００５１】
透過度センサ１０の発光部１１は、発光素子１１１を収容するハウジング１１２を備えている。該ハウジング１１２は筒状であり、一端に底を有している。該底には環状の溝に囲まれた円筒状の突出部を有し、他端の開口縁部には基板１１３を固定するための支持部を設けている。該突出部の端面には発光部透過窓１１５を設けており、前記ハウジング１１２及び前記発光部透過窓１１５は透明な合成樹脂の一体成型品である。前記発光素子１１１は、円形の基板１１３の中央に位置し、発光素子１１１が前記発光部透過窓１１５と対向するように、基板１１３をハウジング１１２に設けたられた前記支持部にてネジ締め付けにより固定してある。貯留部１３の前記支持凹部２２の正面の、洗浄が可能な最低限水位より少し低い位置には、前記ハウジング１１２の発光部透過窓１１５を含む突出部を挿通する挿通穴１１６を設けている。又、前記挿通穴１１６の外周には、前記ハウジング１１２を固定するための管状の支持部１１７を貯留部１３の外側に向けて突設している。ハウジング１１２は、前記支持部１１７とハウジング１１２の環状の溝とをＯリング１１４を挟んで水密に嵌合することにより、前記突出部の端面が貯留部１３の内側面と面一になるように貯留部１３に取り付けてある。  
【００５２】
前記受光部１２は、受光素子１２１を収容するハウジング１２２を備え、該ハウジング１２２は筒状であり、一端に底を有している。該底には環状の溝に囲まれた円筒状の突出部を有し、他端の開口縁部には基板１２３を固定するための支持部を設けている。該突出部の端面には受光部透過窓１２５を設けており、前記ハウジング１２２及び前記受光部透過窓１２５は透明な一体成型品である。前記受光素子１２１は、円形の基板１２３の中央に位置し、受光素子１２１が前記受光部透過窓１２５と対向するように、基板１２３をハウジング１２２に設けたられた前記支持部にてネジ締め付けにより固定する。前記支持凹部２２の発光部１１と対向する位置には、前記ハウジング１２２の受光部透過窓１２５を含む突出部を挿通する挿通穴１２６を設けている。又、前記挿通穴１２６の外周には、前記ハウジング１２２を固定するための管状の支持部１２７を貯留部１３の外側に向けて突設している。ハウジング１２２は、前記支持部１２７とハウジング１２２の環状の溝とをＯリング１２４を挟んで水密に嵌合することにより、前記突出部の端面が貯留部１３の内側面と面一になるように貯留部１３に取り付ける。  
【００５３】
発光部のハウジング１１２及び受光部のハウジング１２２は、透明な合成樹脂製であり、発光部透過窓１１５及び／又は受光部透過窓１２５の、貯留部１３の水と接する面は、マット加工を施しておく。乾燥した状態と、水に浸漬された状態との透過度が大きく異なるので、水の有無の判別を確実に行うことが出来る。発光素子１１１から出射した光は、発光素子１１１及び受光素子１２１間の被検出液体たる洗浄水を通って、受光素子１２１に入射する。斯かる場合の受光量は、発光部１１及び受光部１２の間に介在する洗浄水の透明度（汚れ具合）及び有無によって異なり、該受光量変化によって洗浄水の水位及び汚れ具合を検出する。
【００５４】
図９は、本発明の実施の形態に係る食器洗い乾燥機の制御装置３０及びその周辺の構成を示すブロック図である。図９に示すように、制御装置３０は、ＣＰＵ（中央処理装置）３１、ＲＯＭ３２、ＲＡＭ３３、時刻を計時するためのタイマー３４及び入出力ポート３５等を備え、これらは互いにバス３６によって接続されている。入出力ポート３５には、透過度センサ１０、洗浄ポンプ５、給水弁２０、排水弁２１、食器を乾燥させるヒータ６等が接続されている。
【００５５】
制御装置３０のＣＰＵ３１は、ＲＡＭ３３をワーキングエリアとして、ＲＯＭ３２に格納されたプログラムを実行することにより、給水、排水、洗浄等のシーケンスを制御する。
【００５６】
給水開始前にＣＰＵ３１は、受光部１２が受光した光量を取り込み、初期値Ｆ１としてＲＡＭ３３に記憶する。又、ＣＰＵ３１は、給水中に、受光部１２が受光した光量を取り込んでＲＡＭ３３に記憶させる。ＣＰＵ３１は、ＲＡＭ３３に記憶された初期値Ｆ１及び給水中に検出した光量に基づき、洗浄水が透過度センサ１０の位置まで到達したか否かを判断する。ＣＰＵ３１は、洗浄水が透過度センサ１０の位置まで到達したと判断した場合、給水を終了する。
【００５７】
図１０は、本発明の実施の形態に係る食器洗い乾燥機の初期値Ｆ１及び所定時間Ｔ１の検出に係るＣＰＵの制御手順を示すフローチャートである。利用者が電源を入れた場合、ＣＰＵ３１は、発光部１１に発光開始指示信号を送出して、発光部１１から光を出射させる（Ｓ１０１）。ＣＰＵ３１は、受光部１２の検出結果を取り込み（Ｓ１０２）、初期値Ｆ１としてＲＡＭ３３に記憶する（Ｓ１０３）。
【００５８】
次いで、ＣＰＵ３１は、給水弁２０の駆動回路に給水弁の開放を指示する信号を送出し、洗浄槽２内へ給水を開始する（Ｓ１０４）。給水弁２０を開放した時点で、ＣＰＵ３１は、タイマー３４に計時開始の指示信号を送出する（Ｓ１０５）。
【００５９】
給水開始後、ＣＰＵ３１は、受光部１２による光量の検出結果Ｆを取り込む（Ｓ１０６）。ＣＰＵ３１は、検出結果Ｆを前記初期値Ｆ１と比較することにより、水位が所定位置(透過度センサ１０の位置)まで到達したか否かを判断する（Ｓ１０７）。
【００６０】
ＣＰＵ３１は、検出結果Ｆが初期値Ｆ１より大きくないと判断した場合(Ｓ１０７：ＮＯ）、検出結果Ｆが初期値Ｆ１より大きくなるまで、検出を繰り返す。また、検出結果Ｆが初期値Ｆ１より大きいと判断した場合(Ｓ１０７：ＹＥＳ）、ＣＰＵ３１は、給水弁２０の閉鎖を指示する信号を駆動回路に送出して給水を停止する（Ｓ１０８）。給水を停止した時点で、ＣＰＵ３１は、タイマー３４に計時終了の指示信号を送出し（Ｓ１０９）、計時結果のＴ１（透過度センサ１０に到達した時間）をＲＡＭ３３に記憶する（Ｓ１１０）。
【００６１】
給水が終了した後、洗浄が開始される。洗浄の終了後では、洗浄ポンプ５の逆転によって、貯留部１３内の洗浄水は、排水口８及び排水弁２１を介して筺体１の外部に排水される。
【００６２】
一方、洗浄対象たる食器の量は日々変わるものであり、特に食器の量が多い場合は、その変化に応じて給水量も調整する必要がある。例えば、給水終了後、洗浄を行う際、ヒータ６による洗浄水の加熱が行われる。加熱された洗浄水は洗浄ノズル４により食器に向かって噴射されるが、洗浄水が、食器に接する際、洗浄水の熱が食器に奪われる。したがって、食器の量が多い場合は、奪われる熱の量も多くなるので、洗浄水の温度上昇速度が遅くなる。このような原理により、ＣＰＵ３１は、洗浄水の温度を検出する温度センサによる所定時間後の検出結果を所定(基準)温度と比べることにより、食器の量を判断する。ＣＰＵ３１は、食器の量が多いと判断した場合、食器量に応じた給水量を前記透過度センサ１０に到達した時間Ｔ１に基づいて演算し、該演算の結果を、給水開始から終了までの所要時間Ｔ０に換算し、前記Ｔ０とＴ１との差を求め、該差に該当する時間分の洗浄水の追加供給を洗浄中に行う。
【００６３】
またＣＰＵ３１は、２回目の洗浄又はススギ工程において、前記Ｔ０に基づき給水の制御を行う。斯かる場合のＣＰＵ３１の制御過程を図１１に示す。ＣＰＵ３１は、給水弁２０の駆動回路に開放を指示する信号を送出し、洗浄槽２内へ給水を開始する（Ｓ２０１）。給水を開始した時点で、ＣＰＵ３１は、タイマー３４に計時開始の指示信号を送出する（Ｓ２０２）。
【００６４】
ＣＰＵ３１は、タイマー３４による計時結果Ｔｘが、前記所要時間Ｔ０を経過したか否かを判断する（Ｓ２０３）。ＣＰＵ３１が、タイマー３４による計時結果Ｔｘが、前記所要時間Ｔ０を経過していないと判断した場合（Ｓ２０３：ＮＯ）、計時結果Ｔｘが、所要時間Ｔ０を経過するまで判断を繰り返す。ＣＰＵ３１が、タイマー３４による計時結果Ｔｘが、所要時間Ｔ０を経過したと判断した場合（Ｓ２０３：ＹＥＳ）、給水弁２０の駆動回路に閉鎖を指示する信号の送出し、給水を停止する（Ｓ２０４）。したがって、洗浄対象たる食器量の変化に応じて、洗浄水量を給水することができる。
【００６５】
また、ＣＰＵ３１は、食器洗浄中に連続的または断続的に、洗浄水の汚れ具合を判断する。前述と同様に受光部１２の検出結果をＲＡＭ３３に記憶する。ＣＰＵ３１は、前記検出の結果を洗浄開始前の検出結果と比較し、洗浄水の汚れ具合を判別することにより洗浄対象たる食器の汚れ具合を判断する。この判断結果に基づいて、ＣＰＵ３１は、洗浄水の水量、洗浄時間、洗浄回数等の制御を行う。
【００６６】
図１２は、本発明の実施の形態に係る食器洗い乾燥機の汚れ検出に係るＣＰＵの制御手順を示すフローチャートである。給水終了後、食器洗浄を開始する直前、ＣＰＵ３１は、受光部１２による光量の検出結果Ｆ２を取り込む（Ｓ３０１）。受光部１２による検出結果は、初期値Ｆ２としてＲＡＭ３３に記憶する（Ｓ３０２）。
【００６７】
次いて、ＣＰＵ３１は、洗浄ポンプ５へ駆動開始を指示する信号を送出し、洗浄ポンプ５を駆動させ、洗浄を開始する（Ｓ３０３）。洗浄ポンプ５が駆動を開始した時点で、ＣＰＵ３１は、タイマー３４に計時開始の指示信号を送出する（Ｓ３０４）。
【００６８】
ＣＰＵ３１は、タイマー３４による計時結果が所定時間を経過したか否かを判断する（Ｓ３０５）。タイマー３４による計時結果が、所定時間を経過していないと判断した場合（Ｓ３０５：ＮＯ）、ＣＰＵ３１は、タイマー３４による計時結果が、所定時間を経過するまで判断を繰り返す。
【００６９】
タイマー３４による計時結果が所定時間を経過したと判断した場合（Ｓ３０５：ＹＥＳ）、ＣＰＵ３１は、受光部１２による光量の検出結果Ｆｘを取り込む（Ｓ３０６）。ＣＰＵ３１は、前記検出結果ＦｘをＲＡＭ３３に記憶する（Ｓ３０７）。
【００７０】
ＣＰＵ３１は、前記初期値Ｆ２及び洗浄中の検出結果Ｆｘを比較し、前記Ｆ２及びＦｘの差が所定値を超えるか否かを判断することにより、汚れ具合を判断する。例えば、Ｆ２及びＦｘの差が所定値を超えると判断した場合、ＣＰＵ３１は、洗浄水の追加供給、洗浄時間の延長、洗浄回数の増数等の制御を行うことが出来る。
【００７１】
本実施の形態は、断続的に検出を行う例について説明したが、これに限定されるものではなく、連続的検出であっても良い。連続的検出は、前記制御手段は、きめ細かく検出を行うので、より正確で迅速な判断及び制御を可能にする。また、断続的検出は、検出量の軽減による前記制御手段のＣＰＵの負担及び電力消費を軽減させることが可能になる。
【図面の簡単な説明】
【００７２】
【図１】本発明の実施の形態に係る食器洗い乾燥機の要部構成を示す模式的側面図である。
【図２】本発明の実施の形態に係る食器洗い乾燥機の要部構成を示す模式的正面図である。
【図３】本発明の実施の形態に係る食器洗い乾燥機の要部構成を示す模式的平面図である。
【図４】本発明の実施の形態に係る食器洗い乾燥機の給水口から排水口までの洗浄水の流路を説明するための略示側面図である。
【図５】本発明の実施の形態に係る食器洗い乾燥機の透過度センサから排水口までの洗浄水の流路を説明するための略示正面図である。
【図６】本発明の実施の形態に係る食器洗い乾燥機の食器洗浄中に貯留部に滞留する水の水位と、透過度センサとの位置関係を示す図である。
【図７】本発明の実施の形態に係る食器洗い乾燥機の透過度センサの構成部材を示す分解横断面図である。
【図８】本発明の実施の形態に係る食器洗い乾燥機の透過度センサを組み立てた状態を示す横断面図である。
【図９】本発明の実施の形態に係る食器洗い乾燥機の制御装置及びその周辺の構成を示すブロック図である。
【図１０】本発明の実施の形態に係る食器洗い乾燥機の初期値Ｆ１及び所定時間Ｔ１の検出に係るＣＰＵの制御手順を示すフローチャートである。
【図１１】本発明の実施の形態に係る食器洗い乾燥機の給水制御に係るＣＰＵの制御手順を示すフローチャートである。
【図１２】本発明の実施の形態に係る食器洗い乾燥機の汚れ検出に係るＣＰＵの制御手順を示すフローチャートである。
【符号の説明】
【００７３】
１  筐体
２  洗浄槽
３  残滓フィルタ
４  洗浄ノズル
５  洗浄ポンプ
６  ヒータ
７  洗浄水循環路
８  排水口
９  給水口
１０  透過度センサ
１１  発光部
１２  受光部
１３  貯留部
１４  ヒータカバー
１５  奥底部傾斜面
１６  流出部
１７  吐出ホース
１８  吸込ホース
１９  貯留部傾斜面
２０  給水弁
２１  排水弁
２２  支持凹部
３０  制御装置
３１  ＣＰＵ
３２  ＲＯＭ
３３  ＲＡＭ
３４  タイマー
３５  入出力ポート
３６  バス
１１１  発光素子
１１２  ハウジング
１１３  基板
１１４  Ｏリング
１１５  発光部透過窓
１１６  挿通穴
１１７  支持部
１２１  受光素子
１２２  ハウジング
１２３  基板
１２４  Ｏリング
１２５  受光部透過窓
１２６  挿通穴
１２７  支持部
【図１】
2007244770.tif 000003
【図２】
2007244770.tif 000004
【図３】
2007244770.tif 000005
【図４】
2007244770.tif 000006
【図５】
2007244770.tif 000007
【図６】
2007244770.tif 000008
【図７】
2007244770.tif 000009
【図８】
2007244770.tif 000010
【図９】
2007244770.tif 000011
【図１０】
2007244770.tif 000012
【図１１】
2007244770.tif 000013
【図１２】
2007244770.tif 000014